(57)【要約】  飲み口（Ａ）の上側は飲料カップの外表面の周囲に延在して当接し、飲み口（Ａ）の裏側は飲料カップの内表面の周囲に延在して当接するように、飲み口（Ａ）により飲料カップに取り付け可能な飲み物を通す蓋が提供される。【選択図】図２Ａおよび図２Ｂ
2016537266.tif 000002
【特許請求の範囲】
【請求項１】
飲み口の上側は飲料カップの外表面の周囲に延在して当接し、前記飲み口の裏側は前記カップの内表面の周囲に延在して当接するように、前記飲み口により前記カップに取り付け可能な、飲み物を通す蓋。
【請求項２】
前記蓋は、前記カップのリムを係合するためにその中に外部環状壁と内部環状壁との間に画定された環状凹部を備え、前記飲み口は、前記リムの上方の位置で合流する前記外壁の隆起部および前記内壁の隆起部によって形成された直立した弓型の飲み口であり、前記外壁は前記カップの外表面の周囲で前記リムの外側を係合するように配置され、前記内壁は前記カップの内表面を封止可能に係合することを特徴とする、請求項１に記載の飲み物を通す蓋。
【請求項３】
使用時に、液体が前記飲料カップから前記飲み口の上側を超えて注がれるときに、前記液体が前記飲み口の前記裏側と前記飲料カップの内表面との間の領域に入ることを防止するように、前記蓋の前記裏側は前記カップの前記内表面と同一平面である、請求項１または２に記載の飲み物を通す蓋。
【請求項４】
前記環状凹部は、前記飲み口の前記外壁を前記カップの前記外表面と封止可能に結合し、前記飲み口の前記内壁を前記カップの前記内表面と封止可能に結合するために増加された深さの一部を備える、請求項２または３に記載の飲み物を通す蓋。
【請求項５】
それを通って飲料が前記飲み口に沿って前記蓋から出ることができる飲み物を通す開口を備える、請求項１〜４のいずれか１項に記載の飲み物を通す蓋。
【請求項６】
前記蓋の前記上側内に凹んだ領域をさらに備える、請求項５に記載の蓋。
【請求項７】
前記凹んだ領域は前記飲み物を通す開口を備える、請求項６に記載の蓋。
【請求項８】
前記凹んだ領域の外縁部は、前記凹んだ領域を保持位置と飲用位置との間で動かすことができるように、前記蓋に柔軟に連結される、請求項７に記載の蓋。
【請求項９】
前記飲み口の前記上側はさらなる蓋の飲み口の前記裏側内で入子式とすることができる、請求項１〜８のいずれか１項に記載の蓋。
【請求項１０】
請求項１〜９のいずれか１項に記載の前記蓋を装着された飲料カップを備える飲料カップ組立体。
【発明の詳細な説明】
【技術分野】
【０００１】
本発明は、飲用容器用蓋に関し、より詳細にはカップおよびカップ上の飲み物を通す蓋を有する飲用容器用蓋に関する。使い捨て可能なカップ用蓋が特に関心対象である。使い捨て可能なカップは、飲料販売、例えば店舗、航空機内、劇場、映画館、スタジアムなどの公共の場から支給されることが多い。飲料は紅茶またはコーヒーであることが多い。通常カップは、持ち帰る使い捨て可能なカップとして設計され、その蓋は運んでいる間に液体のこぼれを防止するためのものである。
【背景技術】
【０００２】
飲用容器には多くのタイプが存在する。これらには、蓋上に排出口またはノズルを有し、それを通して飲む液体を吸い込まなければならない容器を含む、様々な目的のために設計された容器が含まれる。このような配置は、通常特にこぼれを回避するために幼児用カップに使用される。
【０００３】
このような配置はさらに、容器から液体の一貫した流れを獲得するために、使用者が容器を押しつぶす必要があることが多い。さらに排出口またはノズルの形状は液体の通過量が多いほどより適するため、少量の液体、例えば飲料の最後の数ミリリットルは容器に捕捉されるというのが実情である。
【発明の概要】
【発明が解決しようとする課題】
【０００４】
通常このような蓋を用いると、使用者は飲んでいる間に飲料をこぼすことがよくある。したがって、飲んでいる間に使用者が飲料をこぼす傾向を低減させる蓋を提供することが望ましい。さらに大量の液体も少量の液体でも、飲んでいる間に一貫した流れの飲料を通す蓋を提供することが望ましい。
【０００５】
このような蓋は通常円形形状であり、蓋を飲用容器に嵌合できるように蓋の外周の周囲に凹部を備える。通常、飲用容器の上リムは蓋の外部凹部内に嵌合する。通常、蓋を外部凹部の表面の間に把持することにより容器の上部に固定するように、蓋、容器、または場合によってその両方は弾性的に変形可能である。外部凹部は、蓋を容器に固定するためのみの役目を果たす。
【課題を解決するための手段】
【０００６】
本発明は、飲み口の上側はカップの外表面の周囲に延在して当接し、飲み口の裏側はカップの内表面の周囲に延在して当接するように、飲み口により飲料カップに取り付け可能な飲料を通す蓋を提供する。
【０００７】
これは、蓋を飲料カップに固定させるために追加の外部凹部の必要性をなくすため有用である。その代わりに蓋は、蓋の飲み口により飲料カップに取り付け可能である。蓋をカップに固定させるために別個の外部凹部がもはや必要ではないため、これは非常に単純化された蓋のプロファイルを提供する。これにより製造の容易さならびに製造コストの観点から大きな利益をもたらす。
【０００８】
蓋は、カップのリムを係合するためにその中に外部環状壁と内部環状壁との間に画定された環状凹部を備えてもよく、飲み口は、リムの上方の位置で合流する外壁の隆起部および内壁の隆起部によって形成された直立した弓型の飲み口であり、外壁はカップの外表面の周囲でリムの外側を係合するように配置され、内壁はカップの内表面を封止可能に係合することを特徴とする。
【０００９】
このような構成では、飲み口の環状凹部はカップの内表面の周囲を封止するため、飲み口を形成するために合流する外壁の隆起部と内壁の隆起部との間の内部環状凹部は飲料で満たされない。次にこれは、例えば英国特許第２４７３０４２号または本出願者の以前の国際公開第２０１２／１０４３８５号で生じているように、捕捉された流体が残ることはなくなることを意味する。このような先行技術の配置では、カップの周縁部の周囲から液体が漏れることを防止するように封止を形成するために、別個のリムが必要とされる。このような配置は、カップのリムの外側に対して封止を形成する。対照的に、本発明は、カップの内壁に対する封止を通常カップのリムの下の位置に形成する。
【００１０】
これは、飲み口を形成する環状内壁がカップの内壁と同一平面であることを意味する。これは、飲み口内の環状凹部に液体が侵入しないことを意味する。次にこれは、内壁が、内壁とカップとの間の空間、特に内壁および外壁によって画定された環状凹部にいかなる流体が侵入することも防止することを意味する。よって、代替の配置で生じるような捕捉された流体が残ることはない。
【００１１】
さらにこれは、カップに取り付けるためのリムも飲み口を形成する簡単な構成である。これは、複数のリム配置がないため、使用者が蓋を通して飲む際に液体が捕捉される領域が蓋の裏側にはないことを意味する。先行技術の配置では、カップのリムに取り付けるために形成された環状凹部、環状凹部を画定する壁に飲み口を取り付ける橋部、および飲み口自体によって形成された凹部を含む蓋の裏側の様々な部分によって液体が捕捉されていた。このような液体の捕捉はすべて本発明の構成によって取り除かれた。
【００１２】
液体が飲料カップから飲み口の上側を超えて注がれるときに、液体が飲み口の裏側と飲料カップの内表面との間の領域に入ることを防止するように、飲み口の裏側は飲料カップの内表面と同一平面としてもよい。
【００１３】
これは、飲み口の底表面とカップの内側壁との間に液体が溜まることを防止する効果を提供する。飲み口の裏側はカップの内表面と同一平面であるため、液体がカップから飲み口の裏側とカップの内表面との間に入り得る隙間または貯蔵領域がない。このような隙間または貯蔵領域により、飲料をカップから飲む使用者により通常の手法で傾斜されている間、液体がカップ内に溜まる。このように溜まることにより、蓋を通して飲むために使用者がカップを傾斜させると、カップからの液体の流れが一貫でなくなる。さらに、カップ内の液体が少量であるときに、これはこのように少ない量が飲み口の底表面とカップの内側壁との間に捕捉されることを防止する。したがって、これにより大量の液体（すなわち実質的に満たされたカップから）、および少量の液体（すなわち実質的に空のカップから）の両方の一貫した流れが可能になる。したがって、飲み口の底表面とカップの内側壁との間に通常捕捉されるはずである飲料の残余が、カップ内に残ることをさらに防止する。
【００１４】
蓋の環状凹部は、飲み口の上側をカップの外表面と封止可能に結合し、飲み口の裏側をカップの内表面と封止可能に結合するために増加された深さの部分を有してもよい。
【００１５】
これは、蓋の飲み口が使用者により飲み口を介して飲料をすすることができる一方で、飲み口の構造が蓋をカップに封止もできる２つの目的を提供できるため、効果的である。したがって、蓋がカップを封止するための追加の外部リムまたは凹部の必要性が克服される。飲み口の上側をカップの外表面と結合させ、飲み口の裏側をカップの内表面と結合させることにより、カップの縁部が飲み口の表面によって「把持」できるまたは「つまむ」ことができ、したがって確実な水密封止を提供する。増加された深さの部分により、飲み口の裏側がカップの内表面の内側壁下方に延在することができる。飲み口が内側壁の内表面に沿って延在することにより、さらにより良好な封止を提供し、さらに飲料カップの上の蓋に安定性を提供する。
【００１６】
蓋は、それを通って飲料が飲み口に沿って蓋から出ることができる、飲料を通す開口を備えてもよい。
【００１７】
飲料が飲み口に沿って蓋から出ることができるように開口を位置付けることは、液体が開口から出て、飲み口に沿って使用者の唇に向かって流れる期間、使用者が開口から液体を見ることができるため効果的である。開口により使用者はカップから出た液体の量を見ることができ、したがって使用者が単一の飲料行為で液体を多く飲み過ぎることを防止する。開口はさらに、飲料がカップから出るために使用者が開口を吸う必要性を克服する。また開口は、使用者が飲む前に飲料は空気に曝されるため、熱い飲料に対して冷却効果も提供する。開口はさらに、蓋をカップから取り除く必要なしに飲む前に使用者が飲料上に吹き込む機会を提供する。
【００１８】
蓋は、蓋の上側に凹んだ領域をさらに備えてもよい。凹んだ領域は、飲料を通す開口をさらに備えてもよい。
【００１９】
凹んだ領域内に飲料を通す開口を提供することは、液体が開口から出て飲み口に沿って流れるため、カップから飲む使用者が液体の流れを見ることができるため効果的である。これにより使用者は流量を視覚的に判断することができ、こぼれを防止するのに役立つ。さらに、凹んだ領域内に開口を提供することは、液体が開口を通って出るためにカップを圧迫する、または吸引に頼る必要性を克服する。
【００２０】
凹んだ領域の外縁部は、凹んだ領域を保持位置と飲用位置との間で動かすことができるように、蓋に柔軟に連結される。
【００２１】
保持位置では凹んだ領域をカップの中に下方に傾斜させてもよい一方で、飲用位置では凹んだ領域はカップが嵌合されるカップの基部に実質的に平行である。したがって保持位置では、凹んだ領域は、例えばカップを振動させた場合に液体が不用意にこぼれることを防止するためのバッフルとして作用する効果を提供する。
【００２２】
蓋の上側は、さらなる蓋の裏側内で入子式としてもよい。飲み口の上表面は、さらなる蓋の飲み口の低表面内で入子式としてもよい。これは、複数の蓋を最小量の空間で互いの上に積層してもよいため、より大きい貯蔵効率の効果を提供する。これは貯蔵空間が例えば商用車内でプレミア付となり、特に有用である。
【００２３】
蓋は、本発明の飲料カップ組立体を形成するために飲料カップに嵌合されてもよい。
【図面の簡単な説明】
【００２４】
【図１Ａ】先行技術の飲み物を通す蓋を示す図である。
【図１Ｂ】飲料カップの壁を備える封止領域の周囲の本発明の蓋の詳細を示す図である。
【図２Ａ】飲料カップ上の本発明の飲み物を通す蓋を示す図である。
【図２Ｂ】断面Ｂ−Ｂに沿って飲料カップ上の本発明の飲み物を通す蓋の断面を示す図である。
【図３】断面Ｃ−Ｃに沿って飲料カップ上の本発明の飲み物を通す蓋の断面を示す図である。
【図４】飲料カップのリムを備えた封止領域の周囲の蓋の詳細を示す図である。
【図５】飲料カップの壁を備えた封止領域の周囲の蓋の詳細を示す図である。
【図６】飲料カップの壁を備えた封止領域の周囲の蓋の断面の詳細を示す図である。
【図７Ａ】本発明のさらなる飲み物を通す蓋の上部に積層された、本発明の飲み物を通す蓋を示す図である。
【図７Ｂ】断面Ａ−Ａに沿って本発明のさらなる飲み物を通す蓋の上部に積層された、本発明の飲み物を通す蓋の断面を示す図である。
【発明を実施するための形態】
【００２５】
次に本発明について添付図面を参照して説明する。
【００２６】
図１Ａは先行技術の飲み物を通す蓋を示す。飲み口Ａから分離した追加のリムＢは、液体がカップの周縁部の周囲で漏れることを防止するために封止を形成する必要がある。使用時に、飲み口と飲料カップの壁との間に封止が形成されないため、残った流体はＣと表示された領域内に捕捉されることになる。図１Ｂは、図１Ａにおいて丸で囲まれた領域に相当する領域の周囲の本発明の飲料カップのための飲み物を通す蓋１を示す。図１Ｂは、飲料カップの壁を備えた封止領域の周囲の蓋１を示す。図１ＡにはリムＢに相当する外部リムがないことが蓋１からわかる。さらにカップのリム１９は、以下にさらに説明する封止を提供する手法で飲み口１０の壁の間に置かれる。
【００２７】
図２Ａおよび図２Ｂは、本発明の飲料カップのための飲み物を通す蓋１を示す。蓋１は蓋本体２を有する。蓋本体２は、熱成形工程などの適切な形成工程により蓋形状に形成された、単一片のプラスチックまたは他の適切な材料である。
【００２８】
飲料を通す開口５（図３）は、蓋が飲料カップ３０の上にあるときに、飲むためにそれを通って飲料が蓋１から出ることができる蓋本体２内に画定される。
【００２９】
蓋は、蓋の非飲用側部、すなわち飲み物を通す開口を備えた側部と反対の蓋の側部上に水平面３を備える。通気孔は、水平面内に設置される。傾斜面４は、非飲用側部上の水平面を飲み物を通す開口に接続させる。
【００３０】
飲み物を通す開口５は、多くの開口７が画定され得る蓋上の領域６を備える。各開口７は充分に大きいため、濾過物（濾過物は飲料内にあり、したがって飲料を飲む前に飲料から取り除かれる）の通過を妨げる間に、蓋を通して飲料を飲むことができる。濾過物は通常個体の不溶物であり、挽いたコーヒーまたは紅茶の葉などの熱湯で浸出を受けた材料であることが多い。あらゆる適切な配列の開口を利用してもよく、配列または開口が特定の幾何形状を有する必要はない。開口はすべてが同じ大きさまたは形状である必要はない。
【００３１】
蓋１はまた、その中に形成されてた飲み口１０（図５）も有する。飲み口１０は、蓋本体に比べて隆起しており、対向して直立する壁、すなわち上側外壁１１、裏側外壁１２、上側内壁１３および裏側内壁１４を備える。飲み口１０は、上側内壁１３が上側外壁１１と結合する場所に形成される。他のすべての蓋の特徴と同様に、飲み口１０は、蓋１と一体的に形成される。飲み口１０は約０．６ｍｍの幅を有し、例えば飲み口１０は０．６７ｍｍの幅を有してもよい。さらなる実施形態では、飲み口１０は約１ｍｍの幅を有し、例えば飲み口１０は１．０４ｍｍの幅を有してもよい。蓋１の裏側外壁１２および裏側内壁１４は、蓋１が飲料カップ３０上に置かれたときには見えない。
【００３２】
蓋１を通る飲料を飲むために、使用者の口が飲み口１０の周囲にあり開口５を通る液体を飲むように、使用者は自身の唇を蓋１上に置く。カップが飲用位置に保持されているときに、カップを通る水平軸を中心にカップを傾斜させることにより、飲料が開口５から出た後、および飲料が飲み口１０に達する前に使用者が飲料を見ることができるように、飲料が飲み物を通す開口を通過し、上側内壁１３に沿って飲み口１０に向かうことが可能になる。このような配置は、使用者が飲料をこぼす傾向を劇的に低減させるため、非常に望ましい。特に飲料が蓋１から出て流れる際に使用者が飲料、特に飲料の高さを見ることができるため、使用者は飲料をこぼし難い。
【００３３】
望ましくは、また実施形態に示されたように、飲料の開口は、外部リム９および蓋１の飲み口１０に比べて低い位置にある蓋１の領域内に形成される。これは液体に対して流体ベッドを形成するために利用可能な領域を増加させ、したがって液体の流れが使用者に視覚的により顕著になる。一実施形態では、飲料の開口は飲み口１０の約３５ｍｍ下にあり、例えば飲料の開口は飲み口１０の３５．０３ｍｍ下にあってもよい。
【００３４】
蓋１の裏側１５、すなわち飲料カップの上に置かれたときに見えない蓋の側部は、蓋１の外周周囲に凹部１６を備える。凹部１６は、飲み口１０から最も離れた位置で浅く、飲み口１０の裏側内壁１４および飲み口１０の裏側外壁１２によって囲まれた位置で深さが増している。飲料カップ３０上に置かれたとき、外周凹部１６は、カップ３０の上部に押し込むように作用する。外周凹部１６は、蓋１の２つの内表面１７、１８により浅い位置に形成され、飲料カップ３０の上部に隆起したリム１９の周囲に嵌合して側部を支持する嵌合部を形成する。上表面２０は垂直支持を提供する。これは、蓋１の非飲用側部、すなわち飲み口１０の反対の蓋１の側部（図４）上に形成された嵌合部である。蓋１の飲用側部、すなわち飲み口１０を備えた側部（図５）上で、凹部１６は深さが増加され、飲み口１０の裏側内壁１４と飲み口１０の裏側外壁１２との間に形成される。裏側内壁１４は、カップ上に置かれたとき、裏側内壁１４が飲料カップ３０の内側壁の表面２１と嵌合するように、裏側内壁１４が飲料カップ３０の内壁表面２１に沿って延在するような寸法に作られる。飲料カップ３０上に置かれたとき、飲料カップ３０のリム１９が飲み口１０の裏側内壁１４と飲み口１０の裏側外壁１２との間の凹部１６の中に収まるときに押込みが形成される。非飲用側部と異なり、蓋表面によって提供されるカップのリム１９の周囲に垂直支持はない。その代わりに、リム１０の裏側内壁１４とリム１０の裏側外壁１２との間に形成されたカップのリム１９の上に中空領域２９がある。したがって、飲料カップ３０のリム１９が凹部１６の中に収まることが可能であるように分離が充分に広くなければならないが、飲料カップのリム１９と押込みを形成しないようにあまり広くない必要があるため、凹部１６から裏側内壁１４および裏側外壁１２を分離することは重要である。好ましくは、裏側外壁１２は、角度６度だけ裏側内壁１４から分離される。
【００３５】
裏側外壁１２内のノッチ２２は、飲料カップ３０の上部の上の対応するリム１９に嵌合する。これは、蓋１を飲料カップ３０上の適所に維持するために蓋１を水平に支持する。裏側内壁１４は、飲料カップ３０の内壁表面２１に沿って延在し、内壁表面２１と結合する。この手法で、開口２３の底表面と飲料カップ３０の内壁表面２１との間に隙間がないように、封止が形成される。さらに、飲み口１０の裏側内壁１４と飲料カップ３０の内壁表面２１との間に封止が形成される。この封止は、蓋１の外周の約半分に延在する。封止は、裏側内壁１４の窪み２４（図６）によって破壊され、これによりリムの裏側内壁１４と飲料カップ３０の内壁表面２１との間に分離が生じる。この点で封止を破壊することにより、蓋１と飲料カップ３０との間に押込封止が機能するために、蓋１の裏側内壁１４と飲料カップ３０の内壁表面２１との間に充分な間隙が提供される。
【００３６】
図７Ａおよび図７Ｂは、本発明のさらなる飲み物を通す蓋１の上部に積層された本発明の飲み物を通す蓋１を示す。蓋１は互いに入子式とすることができることがわかる。１つの飲用蓋を別の飲用蓋の上に備える入子式配置では、下の飲用蓋の上側表面２５は上の飲用蓋の裏側表面２６上に凹部を占有する。この配置では、飲用蓋を非常に密接に梱包することができる。デバイスの好ましい実施形態では、入子式配置における上の蓋の上表面２７と下の蓋の底表面２８との距離は、１５．４４ｍｍである。このような入子式の特徴は、複数の蓋に必要な貯蔵空間を大幅に低減させる。これはさらに、複数の蓋の梱包に相当な効率を提供する。貯蔵および梱包のこのような効率は、貯蔵空間が極めて限定されている航空機を含む商用車にとって特に重要である。
【００３７】
本発明のさらなる実施形態では、蓋１の開口領域５は、例えば開口領域５の縁部が飲用蓋の傾斜面４と結合する軸２９（図３参照）に沿って枢動可能であってもよい。したがって開口領域５の縁部は、開口を１つの位置から別の位置に曲げることができるように、充分に柔軟である。したがって、例えば、カップに嵌合されたとき、開口領域５は１つの位置では実質的に水平で開口領域５が嵌合された飲料カップ３０の基部と平行であり、別の位置ではカップ自体の中に下方に傾斜することが可能である。この配置は、飲料カップ３０が振動された場合に飲料カップ３０から液体が飛び散ることを防止する効果を有する。下向き位置すなわち「保持位置」にあるときは、開口領域５は飲料カップ３０から液体が漏れることを防止するバッフルとして作用する。蓋１の飲み口１０から飲むために使用者が飲料カップ３０を傾斜させたときに、開口領域５が水平位置すなわち「飲む位置」に向かって動き、液体が上述の手法で開口領域５を通って流れることができるように、開口領域５は枢動可能である。
【００３８】
本発明に関して本明細書で使用される場合の用語「含む（ｃｏｍｐｒｉｓｅｓ）／含んでいる（ｃｏｍｐｒｉｓｉｎｇ）」および用語「有する（ｈａｖｉｎｇ）／含む（ｉｎｃｌｕｄｉｎｇ）」は、明記された特徴、整数、ステップまたは構成要素の存在を規定するために使用されるが、１つまたは複数の他の特徴、整数、ステップ、構成要素もしくはその群の存在または追加を排除しない。
【００３９】
わかりやすいように、個別の実施形態の状況で説明された本発明のある種の特徴は、単一の実施形態に組み合わせても提供され得ることが理解される。逆に、簡潔にするために単一の実施形態の状況で説明された本発明の様々な特徴は、個別にまたはあらゆる適切な副結合でも提供され得る。
【図１Ａ】
2016537266.tif 000003
【図１Ｂ】
2016537266.tif 000004
【図２Ａ】
2016537266.tif 000005
【図２Ｂ】
2016537266.tif 000006
【図３】
2016537266.tif 000007
【図４】
2016537266.tif 000008
【図５】
2016537266.tif 000009
【図６】
2016537266.tif 000010
【図７Ａ】
2016537266.tif 000011
【図７Ｂ】
2016537266.tif 000012
【国際調査報告】
2016537266.tif 000013
2016537266.tif 000014